(57)【要約】【課題】アンテナと金属体の距離によらず、良好な通信性能を有するアンテナ装置を提供することを目的とする。【解決手段】アンテナ入出力用端子４、５を備えたループ状のアンテナ１と、ループ状のアンテナ１の線路上であって、かつアンテナ入出力用端子４、５の対向する位置に挿入されている少なくとも１つのコイル部２とを備え、コイル部２のコイル軸が、ループ状のアンテナ１の開口面に平行であり、かつ、ループ状のアンテナ１の線路のコイル部２が挿入された前後の部分を流れる電流の向きに非平行であることを特徴とするアンテナ装置。【選択図】図１
2011234174.tif 000002
【特許請求の範囲】
【請求項１】
端子を備えたループ状のアンテナと、
前記ループ状のアンテナの線路上であって、かつ前記端子の対向する位置に挿入されている少なくとも１つのコイルとを備え、
前記コイルは、前記コイルのコイル軸が、前記ループ状のアンテナの開口面に平行であり、
かつ、前記ループ状のアンテナの線路の前記コイルが挿入された前後の部分を流れる電流の向きに非平行であることを特徴とするアンテナ装置。
【請求項２】
前記コイルを構成する導体の巻回数が整数倍より略半周分多いあるいは少ないことを特徴とする請求項１記載のアンテナ装置。
【請求項３】
前記ループ状のアンテナの開口面の一方の面に金属体を設け、前記コイルにおける前記金属体側の面に巻回された前記導体の本数が、前記金属体側の面とは反対側の面に巻回された前記導体の本数より少ないことを特徴とする請求項２記載のアンテナ装置。
【請求項４】
前記ループ状のアンテナの１つの辺が全てコイルであることを特徴とする請求項１記載のアンテナ装置。
【請求項５】
前記ループ状のアンテナが金属体に近接して配置されたとき、前記コイルが前記金属体の端部にあるように構成したことを特徴とする請求項１記載のアンテナ装置。
【発明の詳細な説明】
【技術分野】
【０００１】
本発明は、ＲＦ−ＩＤ、即ちＩＣカードやＩＣタグ等の無線通信媒体との通信を行うアンテナ装置に関するものである。
【背景技術】
【０００２】
近年、携帯電話等の携帯端末にＲＦ−ＩＤ用無線タグを内蔵したものや、非接触型ＩＣカードやＩＣタグを読み取る機能を搭載したものが普及してきており、ループ状のアンテナの開口面に磁性体シートを貼り合わせた（ループ状のアンテナのコイル軸が磁性シートに対して垂直）アンテナ装置が多く用いられている。
【０００３】
しかしながら、金属体がアンテナ裏面に近接している場合は通信性能が劣化しやすく、それを防ぐために磁性体シートを厚くすると携帯端末の小型化・薄型化を妨げることになっていた。
【０００４】
そこで金属体近傍での磁界分布に着目した（特許文献１）のような、近接する金属面に対して水平なコイル軸を持つコイルを用いたアンテナ装置も考案されている。
【先行技術文献】
【特許文献】
【０００５】
【特許文献１】特開２００８−０４８３７６号公報
【発明の概要】
【発明が解決しようとする課題】
【０００６】
しかしながら、（特許文献１）の構造では、金属面に対して水平なコイル軸を持つコイルを用いているため、金属体に近接していない場合の通信性能がループ状のアンテナの開口面に磁性体シートを貼り合わせた従来のアンテナを用いたものと比較して劣ってしまう。そのため、設計変更等でアンテナ搭載予定場所が変更された場合には、同じアンテナが使用できなくなるという不具合が生じてしまい、アンテナの選定からやり直す必要が出てくる等、開発に支障をきたしてしまう恐れがある。
【０００７】
そこで、本発明は、上記の問題に鑑み、アンテナと金属体の距離によらず、良好な通信性能を有するアンテナ装置を提供することを目的とする。
【課題を解決するための手段】
【０００８】
上記課題を解決するために本発明は、長方形状あるいは正方形状のループ状のアンテナと、ループ状のアンテナの線路上であって、かつ端子の対向する位置に挿入されている少なくとも１つのコイルとを備え、コイルは、コイルのコイル軸が、ループ状のアンテナの開口面に平行であり、かつ、ループ状のアンテナの線路のコイルが挿入された前後の部分を流れる電流の向きに非平行であることを特徴とするアンテナ装置とした。
【発明の効果】
【０００９】
本発明によれば、アンテナと金属体の距離によらず、良好な通信性能を有するアンテナ装置を提供することができる。
【図面の簡単な説明】
【００１０】
【図１】本発明の実施例におけるアンテナ装置の概念図
【図２】巻回数実験の結果グラフ
【図３】金属体が遠方にある場合でアンテナから送信する場合の本発明の概念図
【図４】金属体が遠方にある場合でアンテナが外部からの磁界を受ける場合の本発明の概念図
【図５】金属体が近傍にある場合でアンテナから送信する場合の本発明の概念図
【図６】金属体が近傍にある場合でアンテナが外部からの磁界を受ける場合の本発明の概念図
【図７】金属体が近傍にある場合でアンテナから送信する場合の従来例の概念図
【図８】金属体が近傍にある場合でアンテナが外部からの磁界を受ける場合の従来例の概念図
【図９】本発明の実施例におけるアンテナ装置の概念図
【図１０】本発明の実施例におけるアンテナ装置の概念図
【図１１】基板との距離と磁界強度の実験結果グラフ
【図１２】携帯端末を分解した場合の斜視図
【発明を実施するための形態】
【００１１】
本発明のアンテナ装置によれば、長方形状あるいは正方形状のループ状のアンテナと、ループ状のアンテナの線路上であって、かつ端子の対向する位置に挿入されている少なくとも１つのコイルとを備え、コイルは、コイルのコイル軸が、ループ状のアンテナの開口面に平行であり、かつ、ループ状のアンテナの線路のコイルが挿入された前後の部分を流れる電流の向きに非平行であることを特徴とすることにより、アンテナと金属体の距離によらず、良好な通信性能を有するアンテナ装置を提供することができる。
【００１２】
さらに、ループ状のアンテナの開口面の一方の面に金属体を設け、コイルにおける金属体側の面に巻回された導体の本数が、金属体側の面とは反対側の面に巻回された導体の本数より少ないことにより、コイルは効率よく磁界を作ることができ、また、効率よく磁界を捕捉することができる。
【００１３】
また、ループ状のアンテナの１つの辺がすべてコイルであることにより、コイルの開口を大きくとることができ、アンテナ装置の性能を向上させることができる。
【００１４】
また、ループ状のアンテナが金属体に近接して配置されたとき、コイルが金属体の端部にあるように構成したことにより、金属体の渦電流の密度が高い部分を利用することができるため、良好な通信性能を有するアンテナ装置を提供することができる。
【実施例】
【００１５】
以下、本発明の実施例について図面を用いて説明する。
【００１６】
図１は、本発明の実施例におけるアンテナ装置の概念図である。
【００１７】
ループ状のアンテナ１は、アンテナ入出力用端子４（あるいは５）からもう片方のアンテナ入出力用端子５（あるいは４）までの電流が流れる経路を提供するものとし、電流によって生じる磁界、あるいは外界からの磁界によって生じた電流によって信号の送受を行うものと定義する。また、ループ状のアンテナ１の線路で囲まれた面を、ループ状のアンテナ１の開口面と定義する。
【００１８】
つまり、本実施例では、ループ状のアンテナ１によって、例えばＲＦＩＤ（１３．５６ＭＨｚ）の電波を送受信できるように調整してある。
【００１９】
なお、本実施例では、ループ状のアンテナ１は長方形状となっているが、正方形であってもよく、ループ状の形状であればその形状は適宜決めることができる。
【００２０】
本実施例では、ループ状のアンテナ１を構成する線路の途中にコイル部２が巻回されているコア３とともに１ヶ所挿入されている。
【００２１】
また、コイル部２は、アンテナ入出力用端子４、５に対向する位置に挿入されている。
【００２２】
これにより、コイル部２とアンテナ入出力用端子４、５をつないでループ状のアンテナ１を形成する際に自由に形成することができる。
【００２３】
さらに、コイル部２のコイル軸をＡとすると、コイル部２の配置は、コイル軸Ａが、ループ状のアンテナ１の開口面に平行であり、かつ、ループ状のアンテナ１の線路のコイルが挿入された前後の部分を流れる電流の向き（本実施例では図１のＣの方向）に垂直になっている。
【００２４】
なお、本実施例ではコイル軸ＡはＣ方向に対して垂直となっているが、平行となっていなければよい。
【００２５】
また、本実施例では、コイル部２は、距離Ｄを隔てて配置された金属体６の端面Ｂに垂直となるように配置されている。距離Ｄは０ｍｍから∞まで考えられるが、後述するように、いずれの場合もアンテナ装置として良好な通信性能を有する。
【００２６】
また、コア３には、磁性体を用いることでコイル部２を通過する磁束を増やすことができ、金属体６が近接した場合の通信性能がよくなるので好ましいが、磁性体に限らずセラミックや樹脂等で構成されていてもかまわない。
【００２７】
また、コイル部２は、金属体６の端部に位置するように配置されており、これにより、金属体６に流れる電流を最大限活用することができる。
【００２８】
また、コイル部２の導体の巻回数を本実施例では約１．５ターンで図示し、コア３の金属体に面する面に巻回されている導体の本数（コア３の金属体に面する面において、コア３に導体を巻回す際に導体が面上に巻かれる本数）がコア３の金属体に面する面と反対側の面に巻回されている導体の本数より少なくしている。
【００２９】
このように構成することで、少ない巻回数で効率のよいアンテナ装置にすることができる。
【００３０】
なお、図１においては、直方体のコア３の長手方向をループ状のアンテナ１上に配置したが、短辺方向を配置してもよく、所望する特性や、搭載するスペースに合わせてコイル部２とコア３の形状は自由に選ぶことができる。
【００３１】
ただし、短辺方向を配置した場合には、コア３の短辺方向にコイル部２を巻き回して形成することはいうまでもない。
【００３２】
ここで、巻回数の実験の結果を図２に示す。横軸は巻回数、縦軸は０．５巻での磁界強度で正規化した値をプロットした。実験に用いたコイル部２はコア３に２１ｍｍ×４ｍｍ×０．２ｍｍのフェライトを使用し、厚さ０．１ｍｍの銅薄板を、巻回数に合わせて幅１ｍｍ〜０．６ｍｍと変化させて試作した。金属体の端にコイル部２を近接して配置し、１３．５６ＭＨｚにおいて５０Ωに整合をとり、信号発生器より１３．５６ＭＨｚにおいて２０ｄＢｍの正弦波信号をアンテナに入力し、金属体の主面の上空３０ｍｍにおける磁界強度を測定した。
【００３３】
図２に示されているように、磁界強度は巻回数が増えるに伴い増加している。しかし、増加率を考えると、巻回数が整数から半周分増えるときに大きく増えていることがわかる。金属体６に面さない側の導体は金属体６の表面の渦電流の影響は少ないが、金属体６に面した側のコイル部２の導体には、金属体６の表面の渦電流によって打ち消される方向の電流が生じるため、整数倍の巻回数のときには磁界強度の増加が少ないものと推測できる。
【００３４】
ここで、図２の実験は、ループ状のアンテナ１を形成していない状態で行ったが、ループ状のアンテナ１を形成した場合でも、コイル部２が金属体６から受ける影響は同様に考えられるため、ループ状のアンテナ１に挿入したコイル部２においても、少ない巻回数で効率のよいアンテナ装置にすることができるといえる。
【００３５】
ただし、巻回数は限定されるものではなく、巻回数は図１に図示している約１．５ターンより多くても少なくてもかまわない。
【００３６】
なお、巻回数を整数倍より約０．５ターン増やす、または減らすことは、コイル部２の両端（ループ状のアンテナ１との接続部）がコア３を挟んで両サイドにできるため、ループ状のアンテナ１に挿入しやすくなる。
【００３７】
つまり、通常のループアンテナの直線部分を置き換えるような形で挿入することができるため、挿入しやすくなる。
【００３８】
また、コイル部２の巻き方については、右巻きでも左巻きでもよく、配置する位置に応じて適宜選択することができる。
【００３９】
また、コイル部２とループ状のアンテナ１の導体との接続は、はんだやコネクタによる接続等、通常利用される接続方法を使用できる。あるいは、コイル部２とループ状のアンテナ１は１本の繋がった導体で形成してもかまわない。アンテナ入出力用端子４、５は、一般的に知られているように整合回路およびＩＣの入出力端子に接続されるものとし、接続方法はピンやバネによる接触やはんだ付け、コネクタによる接続等通常利用される接続方法を用いることができる。
【００４０】
金属体６に近接して配置されたループ状のアンテナ１とコイル部２、コア３とアンテナ入出力用端子４、５より構成されている。コイル部２は金属体６の端部に位置するように配置されている。外界からループ状のアンテナ１の開口面に垂直な方向の磁界が到来した場合、金属体６の面上に渦電流が生じる。この渦電流は金属体６の端部のほうが密度が高いため、コイル部２を金属体６の端部に位置するように配置することで金属体６の面上を流れる渦電流を最も効率よく利用できるため好ましい。また、渦電流の密度は金属体６のカド部では低くなるため、カド部へのコイル部２の配置は避けたほうが好ましい。
【００４１】
なお、図１はループ状のアンテナ１と金属体６とはある程度の隙間を持って配置されているが、携帯端末等に配置する場合、その隙間が確保できない場合があり、その場合、ループ状のアンテナ１と金属体６は近接配置される。
【００４２】
なお、金属体６は例えば携帯端末内の基板となるが、他の金属体、例えばバッテリーや液晶表示パネル等であってもかまわない。
【００４３】
また、ループ状のアンテナ１を構成する導体は、被覆銅線等で構成されてもよいが、金属体６上に形成された電極パターン等でもかまわない。コイル部２と磁性体コア３も金属体６上に実装されている構成としてもよい。図示していないが、ループ状のアンテナ１のループ内側の空いているスペースには、他の部品、例えばカメラモジュールやスピーカー、ＲＦモジュール、他周波用のアンテナ等を実装することができる。
【００４４】
次に図３から図８を用いて本発明のアンテナ装置の動作概念を説明する。
【００４５】
図３は、金属体が遠方にある場合でアンテナから送信する場合の本発明の概念図である。アンテナ入出力用端子４、５へ入った信号によりループ状のアンテナ１に電流７が流れ、磁界８が生じる。コイル部２によって生じる磁界１３は磁界８に対して直交しているため磁界８への影響はない。金属体６には電流７による磁界８を打ち消す方向の渦電流９が発生するが、遠方にあるため大きな影響はない。したがって、金属体６が遠方にある場合は従来のループ状のアンテナと同様に通信するため、本発明のアンテナ装置は金属体が遠方にある場合も良好な通信状態を得ることができる。
【００４６】
図４は、金属体が遠方にある場合でアンテナが外部からの磁界を受ける場合の本発明の概念図である。外界からの磁界１０とループ状のアンテナ１を通過する磁界１１は距離に応じた関係にあり、磁界１１によってループ状のアンテナ１には電流７が誘導され、アンテナ入出力用端子４、５を通って出て行く。コイル部２のコイル軸は磁界１１に対して直交しているため、電流７に影響を与えない。金属体６には磁界１０による渦電流９が生じ、反対向きの磁界１２ができるが遠方にあるため影響は小さい。したがって、金属体６が遠方にある場合は従来のループ状のアンテナと同様に通信するため、本発明のアンテナ装置は金属体が遠方にある場合も良好な通信状態を得ることができる。
【００４７】
つまり、本実施例では、渦電流９を打ち消す方向に電流が発生するように、コイル部２を配置している。
【００４８】
図５は、金属体が近傍にある場合でアンテナから送信する場合の本発明の概念図である。アンテナ入出力用端子４、５へ入った信号によりループ状のアンテナ１に電流７が流れ、磁界８が生じる。金属体６には電流７による磁界８を打ち消す方向の渦電流９が発生し、結果として磁界８は小さくなりアンテナの通信性能が劣化することとなるはずであるが、コイル部２を流れる電流によってコイル部２を貫く磁界１３が生じ、この磁界１３によって金属体６に電流１４が生じる。この電流１４は渦電流９と反対向きであり、打ち消し合うので、結果として磁界８は渦電流９から受ける影響が小さくて済む。したがって、金属体６が近傍にある場合も本発明のアンテナ装置は良好な通信状態を得ることができる。
【００４９】
図６は、金属体が近傍にある場合でアンテナが外部からの磁界を受ける場合の本発明の概念図である。外界からの磁界１０によってループ状のアンテナ１には電流７が、金属体６には渦電流９が生じる。金属体６とループ状のアンテナ１が近いため、渦電流９による反対方向の磁界１２によってループ状のアンテナ１を通過する磁界１１が小さくなってしまい、結果として電流７は少なくなってしまうはずであるが、渦電流９によって生じる磁界がコイル部２を通過することでコイル部２には磁界１３を作り出すような電流が流れ、結果として電流７が少なくならない。したがって、金属体６が近傍にある場合も本発明のアンテナ装置は良好な通信状態を得ることができる。
【００５０】
比較例として、図７は、金属体が近傍にある場合でアンテナから送信する場合の従来例の概念図である。金属体から離れている場合には、もちろん金属体の影響は受けないが、図７に示すように、アンテナ入出力用端子４、５へ入った信号によりループ状のアンテナ１０１に電流７が流れ、磁界８が生じる。金属体６には電流７による磁界８を打ち消す方向の渦電流９が発生し、結果として磁界８は小さくなりアンテナの通信性能が劣化することとなる。したがって、金属体６が近傍にある場合は従来のループ状のアンテナ１０１では十分な通信性能が得られない。
【００５１】
図８は、金属体が近傍にある場合でアンテナが外部からの磁界を受ける場合の従来例の概念図である。外界からの磁界１０によってループ状のアンテナ１０１には電流７が、金属体６には渦電流９が生じる。金属体６とループ状のアンテナ１０１が近いため、渦電流９による反対方向の磁界１２によってループ状のアンテナ１０１を通過する磁界１１が小さくなってしまい、結果として電流７は少なくなってしまう。したがって、金属体６が近傍にある場合は従来のループ状のアンテナ１０１では十分な通信性能が得られない。
【００５２】
図７や図８の状況では、金属体６の影響を小さくするために磁性体シートを利用することが一般的であるが、アンテナ占有面積と厚みが増えてしまい、アンテナを搭載する携帯電話等の小型化が困難となってしまう。
【００５３】
本実施例である図５および図６の状態では、金属体６に流れる電流を利用して金属体６をアンテナとして利用しているともいえる。携帯端末における金属体はアンテナ装置より大きい場合が多いため、狭い占有面積のアンテナで大きい金属体をアンテナ装置として利用できることは今後の携帯端末の小型薄型化に大きく貢献できると考えられる。
【００５４】
以上の各図においてループ状のアンテナ１は１ターンで描かれているが、巻回数は１ターンに限定されるものではなく複数ターンにしてもかまわない。複数ターンにした場合は、ループ状のアンテナ１の最外周の線路の一部のみをコイル部２で構成する、あるいは、各ターンの線路に挿入し、各コイル部２のコイル軸が共通となるように配置することで、金属体が近接した場合の通信性能劣化が少なくなるので好ましい。また線１本で図示しているが、図面の簡略のためであり、実際には幅や厚みを持っている。
【００５５】
ここで、本発明のアンテナ装置の配置ついて説明する。上述のように配置したものの他に、ループ状のアンテナ１を方形状に形成した場合において、図９に示すようにコイル部２を配置した部分に隣接する１辺のどちらかに設けてもよいし、図１０に示すようにアンテナ入出力用端子４、５を除くすべての辺にコイル部２を設けてもよい。ただし、ループ状のアンテナ１を形成する際の自由度を考え得ると、コイル部２は、アンテナ入出力端子４、５に対向する位置に設けるほうが望ましい。
【００５６】
図１１は、本発明のアンテナ装置と、ループ状のアンテナのみで構成した従来構造で構成した比較用のアンテナとで実験した結果である。横軸に金属体とアンテナの距離、縦軸には、アンテナを１３．５６ＭＨｚで５０Ωに整合して、１３．５６ＭＨｚ、２０ｄＢｍの正弦波信号を入力したときにアンテナから３０ｍｍ上空で測定した磁界強度をプロットしたものである。
【００５７】
実験に用いた本発明のアンテナ装置は、ループの外形を４０ｍｍ×２５ｍｍにして、２つある２５ｍｍの辺を、２１ｍｍ×４ｍｍ×０．２ｍｍの磁性体コアに線幅１ｍｍで厚み０．１ｍｍの銅薄板を用いて１．５ターン巻回したコイル１個ずつで置き換えた、図１の実施例１のような構成で試作した。従来構造の比較用のアンテナは、外形は同じく４０ｍｍ×２５ｍｍとし、線幅１ｍｍで厚み０．１ｍｍの銅薄板を用いて１ターンで試作した。金属体には４０ｍｍ×１１０ｍｍの携帯端末を想定したサイズのベタ基板を用いた。
【００５８】
図１１からわかるように、従来のものは金属体から離れているときと比較して、近づいている場合には、磁界強度が１０分の１以下となってしまい通信特性を維持できないのに対して、本発明のアンテナ装置では金属体が近づいても磁界強度の劣化が小さく、金属体が近くにある場合でも通信特性を維持することができる。したがって、本発明は、アンテナと金属体の距離によらず、良好な通信性能を有するアンテナ装置を提供することができるといえる。
【００５９】
次に、本発明のアンテナ装置を携帯端末に搭載する場合について、詳細に説明する。図１２は、本発明の実施例における携帯端末を分解した場合の斜視図である。
【００６０】
携帯端末２０は液晶パネル２１、操作用のボタン２２、筐体２５と筐体２６、その中に収められる基板２３、バッテリー２４等で構成されている。
【００６１】
なお、上記説明した金属体６は、図１２においては基板２３となるが、金属体として、筐体２６の内面に金属を形成してもよい（筐体２６とコイル部２との間に金属膜を設けてもよい）。
【００６２】
本発明のループ状のアンテナ１およびコイル部２、コア３、アンテナ入出力用端子４、５は筐体２６内側の形成されている。ループ状のアンテナ１の線路、アンテナ入出力用端子４、５は板金や金属箔テープ、あるいは印刷等によって形成され、コイル部２は粘着テープによる貼り付けやビスによる固定等で筐体２６の所定の場所に取り付ける。ループ状のアンテナ１の線路とコイル部２の接続は、コネクタや圧着等の接触接続、あるいは、はんだ付けや溶接等によって行われ、アンテナ入出力用端子４、５とＩＣの接続はピンによる接触やコネクタ接続、導線のはんだ付け等が考えられる。
【００６３】
なお、図１２においては、基板２３にループ状のアンテナ１の線路、およびアンテナ入出力用端子４、５を備え、筐体２６に設けられたコイル部２にピンにより接続され、ループ状のアンテナ１が形成されている。
【００６４】
筐体２６と基板２３の間にできる空間にはＲＦ−ＩＤ用ＩＣや整合回路、他周波用アンテナ、カメラユニット、スピーカー、ＲＦモジュール等の部品が配置され、これらの部品とループ状のアンテナ１およびコイル部２、コア３が接していても離れていても良好な通信ができる。
【００６５】
また、上述したようにループ状のアンテナ１を形成する際の自由度が高いので、基板２３上に形成するループ状のアンテナ１の線路は、基板２３に配置されているチップ等を避けて配置することができる。
【００６６】
なお、本実施例では筐体２６の平坦な部分に配置しているが、筐体２６の局面に沿って配置することも可能である。
【産業上の利用可能性】
【００６７】
本発明のアンテナ装置によれば、アンテナとアンテナを搭載する筐体にある金属体との距離によらず、アンテナの通信特性を維持することができるため、携帯電話等の様々な電子機器のアンテナとして有用である。
【符号の説明】
【００６８】
１    ループ状のアンテナ
２    コイル部
３    コア
４、５    アンテナ入出力用端子
６    金属体
７、１４    電流
８、１０、１１、１２、１３    磁界
９    渦電流
２０    携帯端末
２１    液晶パネル
２２    ボタン
２３    基板
２４    バッテリー
２５、２６    筐体
【図１】
2011234174.tif 000003
【図２】
2011234174.tif 000004
【図３】
2011234174.tif 000005
【図４】
2011234174.tif 000006
【図５】
2011234174.tif 000007
【図６】
2011234174.tif 000008
【図７】
2011234174.tif 000009
【図８】
2011234174.tif 000010
【図９】
2011234174.tif 000011
【図１０】
2011234174.tif 000012
【図１１】
2011234174.tif 000013
【図１２】
2011234174.tif 000014
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
一対の入出力端子を基点に導体を１ターン若しくは複数ターンで巻回して長方形状あるいは正方形状の四辺で囲まれる開口面を有したループ状のアンテナと、
前記アンテナのターン毎の線路上であって、かつ前記入出力端子が設けられる辺と対向する辺上に挿入されている少なくとも１つのコイルとを備え、
前記コイルは、前記アンテナの開口面に起立状態で巻回配置され、前記開口面に平行であるとともに前記開口面の外部から内部へと通じる方向のコイル軸を有したことを特徴とするアンテナ装置。
【請求項２】
前記コイルを構成する導体は、１周または複数周より略半周分多い巻回数だけ巻回されていることを特徴とする請求項１記載のアンテナ装置。
【請求項３】
前記ループ状のアンテナの開口面の一方の面に金属体を設け、前記コイルにおける前記金属体側の面に巻回された前記導体の本数が、前記金属体側の面とは反対側の面に巻回された前記導体の本数より少ないことを特徴とする請求項２記載のアンテナ装置。
【請求項４】
前記ループ状のアンテナの１つの辺が全てコイルであることを特徴とする請求項１記載のアンテナ装置。
【請求項５】
前記ループ状のアンテナが金属体に近接して配置されたとき、前記コイルが前記金属体の端部にあるように構成したことを特徴とする請求項１記載のアンテナ装置。
【手続補正２】
【補正対象書類名】明細書
【補正対象項目名】０００８
【補正方法】変更
【補正の内容】
【０００８】
上記課題を解決するために本発明は、一対の入出力端子を基点に導体を１ターン若しくは複数ターンで巻回して長方形状あるいは正方形状の四辺で囲まれる開口面を有したループ状のアンテナと、前記アンテナのターン毎の線路上であって、かつ前記入出力端子が設けられる辺と対向する辺上に挿入されている少なくとも１つのコイルとを備え、前記コイルは、前記アンテナの開口面に起立状態で巻回配置され、前記開口面に平行であるとともに前記開口面の外部から内部へと通じる方向のコイル軸を有したことを特徴とするアンテナ装置とした。
【手続補正３】
【補正対象書類名】明細書
【補正対象項目名】００１１
【補正方法】変更
【補正の内容】
【００１１】
本発明のアンテナ装置によれば、一対の入出力端子を基点に導体を１ターン若しくは複数ターンで巻回して長方形状あるいは正方形状の四辺で囲まれる開口面を有したループ状のアンテナと、前記アンテナのターン毎の線路上であって、かつ前記入出力端子が設けられる辺と対向する辺上に挿入されている少なくとも１つのコイルとを備え、前記コイルは、前記アンテナの開口面に起立状態で巻回配置され、前記開口面に平行であるとともに前記開口面の外部から内部へと通じる方向のコイル軸を有したことにより、アンテナと金属体の距離によらず、良好な通信性能を有するアンテナ装置を提供することができる。
【手続補正書】
【提出日】平成23年4月13日(2011.4.13)
【手続補正１】
【補正対象書類名】特許請求の範囲
【補正対象項目名】全文
【補正方法】変更
【補正の内容】
【特許請求の範囲】
【請求項１】
一対の入出力端子を基点に導体を１ターン若しくは複数ターンで巻回して長方形状あるいは正方形状の四辺で囲まれる開口面を有したループ状のアンテナと、
前記アンテナのターン毎の線路上であって、かつ前記入出力端子が設けられる辺と対向する辺上に挿入されている少なくとも１つのコイルとを備え、
前記コイルは、前記アンテナの開口面に起立状態で巻回配置され、前記開口面に平行であるとともに前記開口面の外部から内部へと通じる方向であって、該コイルが挿入される辺の向きに対して略垂直なコイル軸を有したことを特徴とするアンテナ装置。
【請求項２】
前記コイルを構成する導体は、１周または複数周より略半周分多い巻回数だけ巻回されていることを特徴とする請求項１記載のアンテナ装置。
【請求項３】
前記ループ状のアンテナの開口面の一方の面に金属体を設け、前記コイルにおける前記金属体側の面に巻回された前記導体の本数が、前記金属体側の面とは反対側の面に巻回された前記導体の本数より少ないことを特徴とする請求項２記載のアンテナ装置。
【請求項４】
前記ループ状のアンテナの１つの辺が全てコイルであることを特徴とする請求項１記載のアンテナ装置。
【請求項５】
前記ループ状のアンテナが金属体に近接して配置されたとき、前記コイルが前記金属体の端部にあるように構成したことを特徴とする請求項１記載のアンテナ装置。
【手続補正２】
【補正対象書類名】明細書
【補正対象項目名】０００８
【補正方法】変更
【補正の内容】
【０００８】
上記課題を解決するために本発明は、一対の入出力端子を基点に導体を１ターン若しくは複数ターンで巻回して長方形状あるいは正方形状の四辺で囲まれる開口面を有したループ状のアンテナと、前記アンテナのターン毎の線路上であって、かつ前記入出力端子が設けられる辺と対向する辺上に挿入されている少なくとも１つのコイルとを備え、前記コイルは、前記アンテナの開口面に起立状態で巻回配置され、前記開口面に平行であるとともに前記開口面の外部から内部へと通じる方向であって、該コイルが挿入される辺の向きに対して略垂直なコイル軸を有したことを特徴とするアンテナ装置とした。
【手続補正３】
【補正対象書類名】明細書
【補正対象項目名】００１１
【補正方法】変更
【補正の内容】
【００１１】
本発明のアンテナ装置によれば、一対の入出力端子を基点に導体を１ターン若しくは複数ターンで巻回して長方形状あるいは正方形状の四辺で囲まれる開口面を有したループ状のアンテナと、前記アンテナのターン毎の線路上であって、かつ前記入出力端子が設けられる辺と対向する辺上に挿入されている少なくとも１つのコイルとを備え、前記コイルは、前記アンテナの開口面に起立状態で巻回配置され、前記開口面に平行であるとともに前記開口面の外部から内部へと通じる方向であって、該コイルが挿入される辺の向きに対して略垂直なコイル軸を有したことにより、アンテナと金属体の距離によらず、良好な通信性能を有するアンテナ装置を提供することができる。